(57)【要約】【課題】特別な操作を必要とすることなく、容器本体に対する蓋体の取り外し操作に連動して塗布体に適量の化粧料を付着できると共に容器本体に対する蓋体の装着操作に連動して塗布体の潰れを防止できる化粧料容器を提供する。【解決手段】容器本体１に蓋体２が装着されている際に、化粧料Ｍと塗布体３とが離間し、容器本体１に対して蓋体２が取り外し方向に回転操作されると、先ず、第３、第４の螺合部４ａ，７ａの螺合作用が働き塗布体３が容器本体１側に移動して化粧料Ｍと接触し、次いで、第１、第２の螺合部１ａ，５ａの螺合作用が働き容器本体１から蓋体２が取り外される構成とする。また、容器本体１に対して蓋体２が装着方向に回転操作されると、先ず、第１、第２の螺合部１ａ，５ａの螺合作用が働き容器本体１に蓋体２が装着され、次いで、第３、第４の螺合部４ａ，７ａの螺合作用が働き塗布体２が反対方向へ移動して化粧料Ｍから離間する構成とする。【選択図】図１
2014132966.tif 000002
【特許請求の範囲】
【請求項１】
一端が閉じられた筒状に構成されて筒壁に第１の螺合部が設けられ、化粧料又は塗布体の何れか一方を備えた容器本体と、
一端が閉じられた筒状に構成されて筒壁に前記第１の螺合部に螺合可能な第２の螺合部が設けられ、前記化粧料又は前記塗布体の他方を備えた蓋体と、を具備し、
前記第１、第２の螺合部同士が螺合することにより前記容器本体に前記蓋体が着脱可能に装着される化粧料容器であって、
前記蓋体は、
前記第２の螺合部が設けられた継ぎ具と、
前記容器本体側に向かって突出し第３の螺合部が設けられた突出部を有し前記継ぎ具に対して軸線方向に移動不能且つ軸線周りに回転可能に係合し使用者により回転操作される把持部と、
前記化粧料又は前記塗布体の他方と一体となり、前記第３の螺合部に螺合する第４の螺合部が設けられると共に前記継ぎ具に対して軸線方向に移動可能且つ軸線周りに回転不能に係合する移動体と、を備え、
前記容器本体に前記蓋体が装着されている際は、前記移動体、前記化粧料又は前記塗布体の他方が引き戻し限まで引き戻されて前記化粧料と前記塗布体とが離間し、
前記容器本体に対して前記蓋体が取り外し方向に回転操作されると、前記第３、第４の螺合部の螺合作用が働き前記移動体、前記化粧料又は前記塗布体の他方が前記容器本体側へ移動して前記化粧料と前記塗布体とが接触し、前記第３、第４の螺合部の螺合作用が停止すると、前記把持部と前記継ぎ具が一体となり前記第１、第２の螺合部の螺合作用が働いて前記容器本体から前記蓋体が取り外され、
前記容器本体に対して前記蓋体が装着方向に回転操作されると、前記第１、第２の螺合部の螺合作用が働いて前記容器本体に前記蓋体が装着され、前記第１、第２の螺合部の螺合作用が停止すると、前記把持部と前記継ぎ具が回転可能となり前記第３、第４の螺合部の螺合作用が働き前記移動体、前記化粧料又は前記塗布体の他方が前記引き戻し限まで引き戻されて前記化粧料と前記塗布体とが離間することを特徴とする化粧料容器。
【請求項２】
前記移動体は、
前記化粧料又は前記塗布体の他方と一体となり前記継ぎ具に対して軸線方向に移動可能且つ軸線周りに回転不能に係合する台座部と、
前記第４の螺合部が設けられ前記台座部に対して軸線方向に移動可能且つ軸線周りに回転不能に係合する昇降部と、を備え、
前記蓋体は、
前記台座部が前記昇降部に当接するように前記台座部を付勢する弾性体を有することを特徴とする請求項１記載の化粧料容器。
【請求項３】
前記弾性体は、前記台座部を前記容器本体側へ付勢することにより前記昇降部に当接させ、
前記第３、第４の螺合部の螺合作用が停止する前記移動体の前記昇降部の前進限は、前記化粧料と前記塗布体とが接触したときの位置より前記容器本体側に設定され、前記化粧料と前記塗布体との接触により前記容器本体側へのそれ以上の移動が阻止されていた前記移動体の前記台座部、前記化粧料又は前記塗布体の他方は、前記容器本体から前記蓋体が取り外されると、前記弾性体の付勢力により、前記前進限に位置する前記昇降部に向かって押し出されることを特徴とする請求項２記載の化粧料容器。
【請求項４】
前記弾性体は、コイルバネであることを特徴とする請求項２又は３記載の化粧料容器。
【発明の詳細な説明】
【技術分野】
【０００１】
本発明は、化粧料容器に関する。
【背景技術】
【０００２】
従来、内部に固形化粧料や粉体化粧料を固めた化粧料を収容する容器本体と、この容器本体に着脱可能に装着される蓋体と、例えばパフ等の塗布体と、を備え、容器本体に蓋体が装着されている際には（閉蓋時には）、塗布体が化粧料と蓋体との間に圧縮されて収容され、容器本体から蓋体が取り外されると（開蓋時には）、塗布体を指で持って取り出し塗布に供することができる化粧料容器が知られている（例えば、特許文献１参照）。
【先行技術文献】
【特許文献】
【０００３】
【特許文献１】特開２００２−１２５７５０号公報
【発明の概要】
【発明が解決しようとする課題】
【０００４】
しかしながら、上記化粧料容器にあっては、容器本体に対して蓋体が装着される保管時に、塗布体に化粧料が付着し過ぎると共に塗布体が圧縮されて潰れてしまうという問題がある。
【０００５】
そこで、本発明は、特別な操作を必要とすることなく、容器本体に対する蓋体の取り外し操作に連動して塗布体に適量の化粧料を付着できると共に、容器本体に対する蓋体の装着操作に連動して塗布体の潰れを防止できる化粧料容器を提供することを目的としている。
【課題を解決するための手段】
【０００６】
本発明による化粧料容器は、一端が閉じられた筒状に構成されて筒壁に第１の螺合部が設けられ、化粧料又は塗布体の何れか一方を備えた容器本体と、一端が閉じられた筒状に構成されて筒壁に第１の螺合部に螺合可能な第２の螺合部が設けられ、化粧料又は塗布体の他方を備えた蓋体と、を具備し、第１、第２の螺合部同士が螺合することにより容器本体に蓋体が着脱可能に装着される化粧料容器であって、蓋体は、第２の螺合部が設けられた継ぎ具と、容器本体側に向かって突出し第３の螺合部が設けられた突出部を有し継ぎ具に対して軸線方向に移動不能且つ軸線周りに回転可能に係合し使用者により回転操作される把持部と、化粧料又は塗布体の他方と一体となり、第３の螺合部に螺合する第４の螺合部が設けられると共に継ぎ具に対して軸線方向に移動可能且つ軸線周りに回転不能に係合する移動体と、を備え、容器本体に蓋体が装着されている際は、移動体、化粧料又は塗布体の他方が引き戻し限まで引き戻されて化粧料と塗布体とが離間し、容器本体に対して蓋体が取り外し方向に回転操作されると、第３、第４の螺合部の螺合作用が働き移動体、化粧料又は塗布体の他方が容器本体側へ移動して化粧料と塗布体とが接触し、第３、第４の螺合部の螺合作用が停止すると、把持部と継ぎ具が一体となり第１、第２の螺合部の螺合作用が働いて容器本体から前記蓋体が取り外され、容器本体に対して蓋体が装着方向に回転操作されると、第１、第２の螺合部の螺合作用が働いて容器本体に蓋体が装着され、第１、第２の螺合部の螺合作用が停止すると、把持部と継ぎ具が回転可能となり第３、第４の螺合部の螺合作用が働き移動体、化粧料又は塗布体の他方が引き戻し限まで引き戻されて化粧料と塗布体とが離間することを特徴とする化粧料容器。
【０００７】
このような化粧料容器によれば、容器本体に蓋体が装着されている際は、化粧料と塗布体とが離間し、容器本体に対して蓋体が取り外し方向に回転操作されると、先ず、第３、第４の螺合部の螺合作用が働き化粧料又は塗布体が移動して化粧料と塗布体とが接触し、次いで、第１、第２の螺合部の螺合作用が働き容器本体から蓋体が取り外される。従って、特別な操作を必要とすることなく、容器本体に対する蓋体の取り外し操作に連動して塗布体に適量の化粧料を付着できる。また、容器本体に対して蓋体が装着方向に回転操作されると、先ず、第１、第２の螺合部の螺合作用が働き容器本体に蓋体が装着され、次いで、第３、第４の螺合部の螺合作用が働き化粧料又は塗布体が上記とは反対方向へ移動して化粧料と塗布体とが離間する。従って、特別な操作を必要とすることなく、容器本体に対する蓋体の装着操作に連動して塗布体の潰れを防止できる。
【０００８】
ここで、移動体は、化粧料又は塗布体の他方と一体となり継ぎ具に対して軸線方向に移動可能且つ軸線周りに回転不能に係合する台座部と、第４の螺合部が設けられ台座部に対して軸線方向に移動可能且つ軸線周りに回転不能に係合する昇降部と、を備え、蓋体は、台座部が昇降部に当接するように台座部を付勢する弾性体を有していると、弾性体の付勢力により、台座部が昇降部の移動に良好に追従することができる。
【０００９】
また、弾性体は、台座部を容器本体側へ付勢することにより昇降部に当接させ、第３、第４の螺合部の螺合作用が停止する移動体の昇降部の前進限は、化粧料と塗布体とが接触したときの位置より容器本体側に設定され、化粧料と塗布体との接触により容器本体側へのそれ以上の移動が阻止されていた移動体の台座部、化粧料又は塗布体の他方は、容器本体から蓋体が取り外されると、弾性体の付勢力により、前進限に位置する昇降部に向かって押し出される構成としても良い。
【００１０】
このような構成を採用した場合、化粧料と塗布体との接触後の取り外し方向への回転操作により、昇降部のみが容器本体側に移動して前進限に達し、これにより第３、第４の螺合部の螺合作用が停止し、これに続く取り外し方向へのさらなる回転操作により、把持部と継ぎ具が一体となり第１、第２の螺合部の螺合作用が働いて容器本体から蓋体が取り外され、化粧料と塗布体との接触により容器本体側へのそれ以上の移動が阻止されていた台座部、化粧料又は塗布体の他方が、弾性体の付勢力により、前進限に位置する昇降部に向かって押し出されるようになる。特に、化粧料又は塗布体の他方が塗布体であると、容器本体に対して蓋体が取り外されると、これに連動して、塗布体が、使用に最適な位置である押し出し限まで押し出されるため、素早く化粧を施すことができる。また、化粧料が使用により減った場合でも、容器本体に対して蓋体が取り外し方向に回転操作されたときに、弾性体により、化粧料又は塗布体の他方が容器本体側の化粧料又は塗布体の一方に接触するように付勢されて減り具合に追従するため、化粧料の減り具合に対応して常に塗布体に適量の化粧料を付着できる。
【００１１】
また、上記作用を好適に奏する弾性体としては、具体的には、コイルバネが挙げられる。
【発明の効果】
【００１２】
このように本発明によれば、特別な操作を必要とすることなく、容器本体に対する蓋体の取り外し操作に連動して塗布体に適量の化粧料を付着できると共に、容器本体に対する蓋体の装着操作に連動して塗布体の潰れを防止できる。
【図面の簡単な説明】
【００１３】
【図１】本発明の第１実施形態に係る化粧料容器を示す縦断面図である。
【図２】図１の状態から蓋体を取り外した状態を示す縦断面図である。
【図３】図１に示す化粧料容器の分解斜視図である。
【図４】本発明の第２実施形態に係る化粧料容器を示す縦断面図である。
【図５】図４の状態から蓋体を取り外した状態を示す縦断面図である。
【発明を実施するための形態】
【００１４】
以下、添付図面を参照しながら、本発明の実施形態について詳細に説明する。
【００１５】
図１〜図３は、本発明の第１実施形態を、図４及び図５は、本発明の第２実施形態を各々示すものであり、先ず、図１〜図３に示す第１実施形態を説明する。
【００１６】
図１は、第１実施形態に係る化粧料容器を示す縦断面図、図２は、蓋体を取り外した状態を示す縦断面図、図３は、化粧料容器の分解斜視図である。
【００１７】
図１に示すように、本実施形態の化粧料容器１００は、使用者が化粧料Ｍを例えば顔等に施すときに用いられるものであり、容器１，２内に化粧料Ｍ及び塗布体３を収容し、開蓋時に塗布体３に化粧料Ｍが付着し、閉蓋時に塗布体３と化粧料Ｍが非接触状態になるものである。以下、詳細に説明する。
【００１８】
化粧料Ｍは、ここでは、特に好適であるとして、プレストパウダーとされているが、粉体化粧料を固めた化粧料やクリーム状の化粧料等であっても良く、本発明に適用可能であれば化粧料の状態を限定するものではない。
【００１９】
化粧料容器１００は、化粧料Ｍを収容する容器本体１と、この容器本体１を上方から覆い容器本体１に着脱可能に装着される蓋体２と、を備える。
【００２０】
容器本体１は、一端が閉じられた円筒状（有底円筒状）に構成され、筒壁内の底部に化粧料Ｍを収容・保持する。この容器本体１の筒壁には、蓋体２を装着するための螺合部（第１の螺合部）１ａが周方向に沿って設けられる。螺合部１ａは、ここでは、内周面に形成された雌螺子である。
【００２１】
蓋体２は、化粧料Ｍを塗布するための塗布具１２を備えるものであり、図１及び図３に示すように、蓋として機能すると共に使用者に把持されて回転操作される把持部４と、把持部４に係合し容器本体１に着脱可能に係合する継ぎ具５と、把持部４の回転に応じて蓋体２の軸線方向に移動する昇降部７を有すると共に塗布具１２が装着された台座部６を有する移動体１３と、台座部６が昇降部７に当接するように台座部６を容器本体１側へ付勢する弾性体８と、昇降部７の移動時の前進限を設定し抜け止めとして機能する昇降部ストッパ１１と、を備える。
【００２２】
把持部４は、一端が閉じられた短尺な円筒状（有底円筒状）に構成され、容器本体１に向かい合うように配置される。この把持部４の筒壁の内周面には、継ぎ具５を装着するための凹部４ｂが円環状に設けられる。また、把持部４の底部の略中央には、容器本体１側に向かって突出する円筒状の突出部４ｘが形成され、この突出部４ｘの筒壁の外周面に、昇降部７を移動させるための螺合部（第３の螺合部）４ａが周方向に沿って設けられる。螺合部４ａは、ここでは、螺旋溝である。この螺旋溝４ａの容器本体１側の端部は、容器本体１側に開放されている。
【００２３】
なお、ここでは、特に好ましいとして、突出部４ｘを円筒状としているが、円柱状でも良く、さらには、円形形状の外周に対向する二平面部を備え当該二平面部を除く円弧面に螺合部４ａを有する構成であっても良い。また、把持部４は使用者に把持されて回転操作されるため、その外周面に、滑り止めとして、周方向に沿って凹凸が並設されるローレット等を設けることが好ましい。
【００２４】
台座部６は、上下方向に延びる内筒６ａ、中筒６ｂ、外筒６ｃを連結部６ｄ，６ｅで繋いだ形状を呈する。具体的には、内筒６ａと中筒６ｂの容器本体１側の端部を、円環状の連結部６ｄで連結し、中筒６ｂの把持部４底部側の端部と外筒６ｃの容器本体１側の端部を、円環状の連結部６ｅで連結して成る。
【００２５】
内筒６ａは、把持部４の底部側の端部に、内側に円環状に張り出す張出部６ｇを有する。この内筒６ａの内周面には、上下方向に延びる凹溝６ｉが、昇降部７を装着するためのものとして、周方向に沿って複数個が離間して並設される。凹溝６ｉは、内筒６ａの容器本体１側から切り込まれ張出部６ｇまで延びるように設けられる。外筒６ｃの外周面には、上下方向に延びる突条６ｆが、継ぎ具５に装着するためのものとして、周方向に沿って複数個が離間して並設される。中筒６ｂの外周面には、後述のアプリケータ台座９を装着するための凸部６ｈが、周方向に離間して複数個が設けられている（図１参照）。そして、台座部６の内筒６ａと中筒６ｂと連結部６ｄとの間に、弾性体８を収容するための弾性体収容空間Ｓが円環状に画成されている。
【００２６】
継ぎ具５は、円筒状に構成され、その筒壁の容器本体１側に、容器本体１の螺合部１ａと螺合可能な螺合部（第２の螺合部）５ａが周方向に沿って設けられる。螺合部５ａは、ここでは、外周面に形成された雄螺子である。また、継ぎ具５の螺合部５ａより把持部４側の外周面には、把持部４の凹部４ｂに軸線方向に係合するための凸部５ｂが円環状に設けられる。また、継ぎ具５の内周面には、把持部４の底部側から切り込まれ容器本体１側に向かって途中まで延びる凹溝５ｃが、台座部６の外筒６ｃの突条６ｆに周方向に係合するものとして、周方向に沿って複数個が離間して並設される。
【００２７】
弾性体８は、ここでは、圧縮コイルバネとされ、台座部６の弾性体収容空間Ｓに収容される。
【００２８】
この弾性体８を弾性体収容空間Ｓに収容した台座部６は、継ぎ具５の凹溝５ｃの開放側（図示上方）から内挿され、その外筒６ｃの突条６ｆが継ぎ具５の凹溝５ｃに進入して周方向に係合することで、継ぎ具５に対して軸線方向に移動可能且つ軸線周りに回転不能に装着される。
【００２９】
そして、弾性体８及び台座部６が組み付けられた状態の継ぎ具５は、把持部４の筒壁に内挿され、その内筒６ａの張出部６ｇが把持部４の突出部４ｘに接近した配置とされ、その凸部５ｂが把持部４の凹部４ｂに軸線方向に係合することで、把持部４に対して軸線方向に移動不能且つ軸線周りに回転可能に装着される。この状態で、弾性体８は、台座部６の連結部６ｄと把持部４の底部との間に位置する。
【００３０】
昇降部７は、短尺の円筒状に構成され、その外周面に、上下方向に延びる突条７ｂが、台座部６の内筒６ａの凹溝６ｉに周方向に係合するためのものとして、一対対向して設けられる。この昇降部７の内周面には、把持部４の突出部４ｘの螺合部４ａと螺合可能な螺合部（第４の螺合部）７ａが、一対対向して設けられる。螺合部７ａは、ここでは、螺合突起である。
【００３１】
そして、この昇降部７は、その螺合部７ａが、螺旋溝４ａの開放側から進入して後退限（引き戻し限）に位置すると共に、その突条７ｂが、台座部６の内筒６ａの凹溝６ｉに周方向に係合することで、台座部６に対して軸線方向に移動可能且つ軸線周りに回転不能に装着され、当該昇降部７に張出部６ｇが当接する台座部６は、その外筒６ｃが把持部４の底部に当接する後退限（引き戻し限）に位置する。この状態で、弾性体８は、台座部６の連結部６ｄと把持部４の底部との間に挟まれ、付勢力を蓄えた状態とされる。そして、昇降部ストッパ１１が把持部４の突出部４ｘの先端部に螺子込まれることで、昇降部７の移動時の前進限である抜け止めが構成される。
【００３２】
塗布具１２は、塗布体３と、この塗布体３を保持するためのアプリケータ台座９及びスリーブ１０と、を備える。
【００３３】
アプリケータ台座９は、中央に孔９ａを有する円板部９ｂの図示上面に円筒部９ｃを立設し、この円筒部９ｃの外周面の軸線方向中程から鍔状にスリーブ保持部９ｄを突設した形状を呈する。円板部９ｂの外周面には、径方向外側に突出する突起部９ｇが、塗布体３を構成する後述のアプリケータ３ａを装着するためのものとして、周方向に沿って複数が離間して設けられている。円筒部９ｃの内周面には、凹部９ｅが、台座部６の中筒６ｂの凸部６ｈに軸線方向且つ周方向に係合するためのものとして周方向に離間して複数個が設けられている（図１参照）。また、スリーブ保持部９ｄの外周面には、スリーブ１０を保持するための凹部９ｆが円環状に設けられている。
【００３４】
スリーブ１０は、円筒状に構成され、その上部の内周面に、アプリケータ台座９の凹部９ｆに嵌め込まれる凸部１０ａを円環状に備える。
【００３５】
塗布体３は、アプリケータ３ａ及び芯材３ｂより構成される。芯材３ｂは、その外面が外側へ膨らみ略半球形状を成し、例えば、発泡ウレタン、ＮＢＲ等の多孔質材の弾性体で構成される。この芯材３ｂの略中央には、上下方向に貫通する孔が設けられている。
【００３６】
アプリケータ３ａは、付着した化粧料Ｍを例えば顔等に塗布感良く塗布するためのものであり、その外面及び内面が外側へ膨らみ略ドーム状を成すように湾曲した形状となっている。このアプリケータ３ａは、芯材３ｂと同様に、例えば、発泡ウレタン、ＮＢＲ等の多孔質材の弾性体で構成され、この多孔質材の弾性体である例えばスポンジやパフ等の片面に植毛を施したものとされる。そして、アプリケータ３ａは、芯材３ｂの外面に密着するように、その外周側が、スリーブ保持部９ｄ側に引っ張られてアプリケータ台座９の突起部９ｇに掛止される。これにより、芯材３ｂは、アプリケータ台座９の円板部９ｂに当接し保持される。
【００３７】
そして、アプリケータ台座９に掛止されたアプリケータ３ａにスリーブ１０が外挿され、スリーブ１０の凸部１０ａがアプリケータ台座９の凹部９ｆに嵌め込まれることで、アプリケータ台座１０に対してスリーブ１０が装着され、この状態で、アプリケータ３ａは、アプリケータ台座９の突起部９ｇとスリーブ１０との間に挟み込まれる。これにより、塗布具１２が組み立てられる。
【００３８】
このようにして得られた塗布具１２は、そのアプリケータ台座９の円筒部９ｃが台座部６の中筒６ｂに外挿され、その円筒部９ｃの凹部９ｅが中筒６ｂの凸部６ｈに係合することで、移動体１３の台座部６に対して軸線方向に移動不能且つ軸線周りに回転不能に装着され一体とされる。これにより、蓋体２が組み立てられ、塗布体３は、把持部４及び継ぎ具５より容器本体１側に突出する構成とされる。
【００３９】
次に、このような構成を有する化粧料容器１００の作用について説明する。先ず、図１に示すように、蓋体２が容器本体１に装着されている場合には、昇降部７、台座部６及び塗布体３が引き戻し限（後退限）まで引き戻された状態で化粧料Ｍと塗布体３とが離間し非接触の状態にある。
【００４０】
この状態から使用する場合、使用者は蓋体２を取り外すべく容器本体１と蓋体２を持って蓋体２を取り外し方向（緩める方向；螺合解除方向）に回転操作する。すると、容器本体１の螺合部１ａに対して蓋体２の継ぎ具５の螺合部５ａが螺合限まで締め込まれているため、容器本体１及び継ぎ具５が一体となり、継ぎ具５に対して把持部４が回転し、把持部４の螺合部４ａと昇降部７の螺合部７ａの螺合作用が働き、継ぎ具５に対して台座部６を介して回り止めされている昇降部７が容器本体１側へ移動する。
【００４１】
昇降部７が容器本体１側へ移動すると、弾性体８の付勢力により、台座部６及び塗布体３が昇降部７に当接するように追従して容器本体１側へ移動し、塗布体３のアプリケータ３ａが化粧料Ｍに接触する。これに続く取り外し方向へのさらなる回転操作により、昇降部７は容器本体１側へ移動を続けるが、台座部６及び塗布体３は、塗布体３の化粧料Ｍとの接触（当接）によりそれ以上の移動が阻止される。
【００４２】
そして、昇降部７が前進限に達すると、把持部４の螺合部４ａと昇降部７の螺合部７ａの螺合作用が停止し、把持部４と継ぎ具５が一体となり、これに続く取り外し方向へのさらなる回転操作により、容器本体１の螺合部１ａと継ぎ具５の螺合部５ａの螺合作用が働いて、容器本体１から蓋体２が取り外される。
【００４３】
すると、化粧料Ｍと塗布体３との接触により容器本体１側へのそれ以上の移動が阻止されていた台座部６及び塗布体３が、弾性体８の付勢力により、前進限に位置している昇降部７に向かって押し出され、使用に最適な位置である押し出し限まで押し出される（図２参照）。
【００４４】
そして、使用にあたっては、使用者は蓋体２を持って塗布体３のアプリケータ３ａを使用者の例えば顔等に軽く叩くように押し当てると、アプリケータ３ａに適量が付着した化粧料Ｍが塗布に供される。
【００４５】
使用が終わると、使用者は蓋体２を装着すべく容器本体１と蓋体２を持って蓋体２を装着方向（締める方向；螺合方向）に回転操作する。すると、容器本体１の螺合部１ａに対して蓋体２の継ぎ具５の螺合部５ａが螺合していき螺合限まで締め込まれることで、容器本体１の螺合部１ａと継ぎ具５の螺合部５ａの螺合作用が停止し、容器本体１に対して蓋体２が装着されると共に、容器本体１及び継ぎ具５が一体となり、これに続く装着方向へのさらなる回転操作により、継ぎ具５に対して把持部４が回転し、把持部４の螺合部４ａと昇降部７の螺合部７ａの螺合作用が働き、継ぎ具５に対して台座部６を介して回り止めされている昇降部７が上記とは反対方向に移動し、引き戻し限まで引き戻される。この昇降部７の移動により、台座部６及び塗布体３が弾性体８の付勢力に抗して引き戻し限まで引き戻され、化粧料Ｍと塗布体３とが離間する状態となる（図１参照）。
【００４６】
このように、本実施形態においては、容器本体１に蓋体２が装着されている際は、化粧料Ｍと塗布体３とが離間し、容器本体１に対して蓋体２が取り外し方向に回転操作されると、先ず、把持部４及び移動体１３の昇降部７の螺合部４ａ，７ａの螺合作用が働き塗布体３が移動して化粧料Ｍと塗布体３とが接触し、次いで、容器本体１及び継ぎ具５の螺合部１ａ，５ａの螺合作用が働き容器本体１から蓋体２が取り外されるため、特別な操作を必要とすることなく、容器本体１に対する蓋体２の取り外し操作に連動して塗布体３に適量の化粧料Ｍを付着できる。また、容器本体１に対して蓋体２が装着方向に回転操作されると、先ず、容器本体１及び継ぎ具５の螺合部１ａ，５ａの螺合作用が働き容器本体１に蓋体２が装着され、次いで、把持部４及び移動体１３の昇降部７の螺合部４ａ，７ａの螺合作用が働き塗布体３が上記とは反対方向へ移動して化粧料Ｍと塗布体３とが離間するため、特別な操作を必要とすることなく、容器本体１に対する蓋体２の装着操作に連動して塗布体３の潰れを防止できる。
【００４７】
また、台座部６が昇降部７に当接するように台座部６を付勢する弾性体８を備えているため、当該弾性体８の付勢力により、台座部６が昇降部７の移動に良好に追従できる。
【００４８】
また、化粧料Ｍと塗布体３との接触後の取り外し方向への回転操作により、昇降部７のみが容器本体１側に移動して前進限に達し、これにより容器本体１及び継ぎ具５の螺合部１ａ，５ａの螺合作用が停止し、これに続く取り外し方向へのさらなる回転操作により、把持部４と継ぎ具５が一体となり容器本体１及び継ぎ具５の螺合部１ａ，５ａの螺合作用が働いて容器本体１から蓋体２が取り外され、化粧料Ｍと塗布体３との接触により容器本体１側へのそれ以上の移動が阻止されていた台座部６、塗布体３が、弾性体８の付勢力により、前進限に位置する昇降部７に向かって押し出され、このように、容器本体１に対する蓋体２の取り外し操作に連動して、塗布体３が、使用に最適な位置である押し出し限まで押し出されるため、素早く化粧を施すことができる。また、化粧料Ｍが使用により減った場合でも、容器本体１に対して蓋体２が取り外し方向に回転操作されたときに、弾性体８により、塗布体３が化粧料Ｍに接触するように付勢されて減り具合に追従するため、化粧料Ｍの減り具合に対応して常に塗布体３に適量の化粧料を付着できる。
【００４９】
図４は、本発明の第２実施形態に係る化粧料容器を示す縦断面図、図５は、図４の状態から蓋体を取り外した状態を示す縦断面図である。なお、第１実施形態と同一又は同一機能を果たす要素には同一符号を付し、重複する説明は省略する。
【００５０】
この第２実施形態の化粧料容器２００が第１実施形態の化粧料容器１００と違う点は、上記第１実施形態とは、逆に、容器本体１に塗布具１２を設けると共に、蓋体２に化粧料Ｍを設けた点である。
【００５１】
ここで、容器本体１には、底部の中央に円筒状の突出部１ｂが立設され、当該突出部１ｂに塗布具１２のアプリケータ台座９が保持される。そして、容器本体１から塗布体３が突出するように、容器本体１の筒壁は、第１実施形態に比して短尺にされる。
【００５２】
また、蓋体２の台座部６には、その容器本体１側の端部に凹状の収容部６ｊが設けられ、この収容部６ｊ内に、化粧料Ｍが収容・保持される。そして、化粧料Ｍが蓋体２内に収まるように、継ぎ具５及び把持部４の筒壁は、第１実施形態に比して長尺にされる。
【００５３】
また、ここでは、容器本体１の螺合部１ａは筒壁外周面の雄螺子とされ、蓋体２の継ぎ具５の螺合部５ａは筒壁内周面の雌螺子とされている。
【００５４】
このように構成された第２実施形態にあっては、第１実施形態の塗布具１２と化粧料Ｍを置き換えた動作となり、化粧料Ｍが移動して塗布体３に接触／離間することになる。なお、使用にあたっては、使用者は容器本体１を持って塗布を行うことになる。
【００５５】
このような第２実施形態においても、第１実施形態と同様に、特別な操作を必要とすることなく、容器本体１に対する蓋体２の取り外し操作に連動して塗布体３に適量の化粧料Ｍを付着できると共に、容器本体１に対する蓋体２の装着操作に連動して塗布体３の潰れを防止できる。
【００５６】
また、台座部６が昇降部７に当接するように台座部６を付勢する弾性体８を備えているため、当該弾性体８の付勢力により、台座部６が昇降部７の移動に良好に追従できる。
【００５７】
また、化粧料Ｍが使用により減った場合でも、容器本体１に対して蓋体２が取り外し方向に回転操作されたときに、弾性体８により、化粧料Ｍが塗布体３に接触するように付勢されて減り具合に追従するため、化粧料Ｍの減り具合に対応して常に塗布体３に適量の化粧料を付着できる。
【００５８】
以上、本発明をその実施形態に基づき具体的に説明したが、本発明は上記実施形態に限定されるものではなく、例えば、上記実施形態においては、特に好ましいとして、弾性体８をコイルバネとしているが、複数枚の板バネを積層したものでも良く、また、樹脂バネ等であっても良い。
【００５９】
また、螺合部を構成する雄螺子と雌螺子の組み合わせは、上記実施形態の逆でも勿論良い。
【符号の説明】
【００６０】
１…容器本体、１ａ…第１の螺合部、２…蓋体、３…塗布体、４…把持部、４ｘ…突出部、４ａ…第３の螺合部、５…継ぎ具、５ａ…第２の螺合部、６…台座部、７…昇降部、７ａ…第４の螺合部、８…コイルバネ（弾性体）、１３…移動体、１００…化粧料容器、Ｍ…化粧料。
【図１】
2014132966.tif 000003
【図２】
2014132966.tif 000004
【図３】
2014132966.tif 000005
【図４】
2014132966.tif 000006
【図５】
2014132966.tif 000007